(57)【特許請求の範囲】
【請求項１】
幅方向中間に位置する基部と、基部の幅方向両側に位置する両側部とを備え、
両側部が巻かれた、基部よりも厚いロール状部分を有し、このロール状部分の巻き始めは側端部であり、前記側端部の表面は前記ロール状部分の内側に位置しており、
前記ロール状部分の巻きが非固定とされており、
少なくとも前記ロール状部分はその外部露出面から尿を吸収可能である、
ことを特徴とする吸収性物品。
【請求項２】
幅方向中間に位置する基部と、基部の幅方向両側に位置する両側部とを備え、
両側部が巻かれた、基部よりも厚いロール状部分を有し、このロール状部分の巻き始めは側端部であり、前記側端部の表面は前記ロール状部分の内側に位置しており、
少なくとも前記ロール状部分はその外部露出面から尿を吸収可能であり、
前記両側部のロール状部分は互いの基部側の側面が接触又は近接しており、使用の際に少なくとも一方のロール状部分の巻きを戻すことにより、前記両側部のロール状部分の間に間隔を空けるように構成されている、
ことを特徴とする吸収性物品。
【請求項３】
前記両側部のロール状部分は、前記互いの基部側の側面が接触又は近接した状態で、それぞれ巻きが解除可能に固定されている、請求項２記載の吸収性物品。
【請求項４】
幅方向両側面に接する袋体により個包装されている、請求項１〜３のいずれか１項に記載の吸収性物品。
【請求項５】
前記基部及び両側部にわたる一体的な吸収体と、この吸収体の表裏両面を被覆する液透過性シートとを備えた、請求項１〜４のいずれか１項に記載の吸収性物品。
【請求項６】
幅方向中間に位置する基部と、基部の幅方向両側に位置する両側部とを備え、
両側部が巻かれた、基部よりも厚いロール状部分を有し、このロール状部分の巻き始めは側端部であり、前記側端部の表面は前記ロール状部分の内側に位置しており、
少なくとも前記ロール状部分はその外部露出面から尿を吸収可能である、
吸収性物品の装着構造であって、
男性器の両脇に前記ロール状部分が位置し、かつ男性器が前記基部で覆われている、
ことを特徴とする吸収性物品の装着構造。
【発明の詳細な説明】
【技術分野】
【０００１】
本発明は、パッドタイプ、テープタイプ、パンツタイプ等の基本吸収性物品とともに補助的に使用される吸収性物品及びその装着構造に関するものである。
【背景技術】
【０００２】
成人向けの排泄物吸収性物品（おむつ）としては、パッドタイプ、テープタイプ、パンツタイプ等の基本吸収性物品（アウターとも呼ばれる）の他に、これらと併用することを想定した、より小型のフラットタイプと呼ばれる補助吸収性物品（インナーとも呼ばれる）が提供されており、これらの組み合わせは特にケア施設等の介護現場において汎用されている。
【０００３】
特に装着者が男性の場合、排尿位置が陰茎の位置により変化するため、脚周りからの漏れが発生し易いという問題があり、介護現場ではこの問題を解決するために、フラットタイプの補助吸収性物品を用い、その幅方向両側部を蛇腹状にして、蛇腹状部分間に陰茎を配置することにより、鼠径部から股間までの両脚の付根の溝に発生する隙間を埋めるようにしたり、特に装着者が男性のときには円錐状に丸めて陰茎に巻き付けたりする（以下、男性巻きともいう）、といった対応が取られている（例えば、特許文献１，２参照）。
【０００４】
また、男性巻きの装着作業の簡素化及び漏れの低減を図るために、陰茎挿入口を有する袋状吸収性物品も提案されている（例えば、特許文献３，４参照）。
【先行技術文献】
【特許文献】
【０００５】
【特許文献１】特開２００６−２１２４５２号公報
【特許文献２】特開２００１−１２９０１２号公報
【特許文献３】特開２００１−２０４７５５号公報
【特許文献４】特許第４３８８２１３号公報
【発明の概要】
【発明が解決しようとする課題】
【０００６】
しかし、上述の男性巻きや袋状吸収性物品では、装着状態において陰茎が吸収性物品により拘束されるため違和感が強く、また陰茎が動いて物品外に抜け出ると意味をなさないという問題点がある。
【０００７】
また、上述の蛇腹状装着形態は、男性巻きや袋状吸収性物品と比べて装着時の違和感は少ないものの、鼠径部から股間までの両脚の付根の溝に発生する隙間を完全に埋めることが困難であり、隙間が残り易いだけでなく、脚の動きに追従できずにじゃばらが崩れ易いため、脚周りの漏れ防止という観点からは改善の余地がある。
【０００８】
そこで、本発明の主たる課題は、男性が使用する際、装着時の違和感が少ないものでありながら、脚周りの漏れ防止性に優れる吸収性物品及びその装着構造を提供することにある。
【課題を解決するための手段】
【０００９】
上記課題を解決した本発明は次記のとおりである。
＜請求項１記載の発明＞
幅方向中間に位置する基部と、基部の幅方向両側に位置する両側部とを備え、
両側部が巻かれた、基部よりも厚いロール状部分を有し、このロール状部分の巻き始めは側端部であり、前記側端部の表面は前記ロール状部分の内側に位置しており、
前記ロール状部分の巻きが非固定とされており、
少なくとも前記ロール状部分はその外部露出面から尿を吸収可能である、
ことを特徴とする吸収性物品。
【００１０】
（作用効果）
本発明の吸収性物品は、鼠径部から股間までの両脚の付根の溝に、両側部のロール状部分を入り込ませるとともに、それらロール状部分の間に男性器を配置して男性器を基部で覆うようにして装着することができる。したがって、鼠径部から股間までの両脚の付根の溝に発生する隙間を、尿吸収可能なロール状部分により埋めることができ、脚周りに向かう尿をロール状部分により効果的に吸収することができる。しかも、ロール状部分は、蛇腹状のものとは異なり、弾力性及び形状維持性（形状の崩れにくさ）に富むため、脚の付根の溝にしっかりとフィットし、脚等の体動に追従して変形・復元することができるとともに、変形による崩れも発生し難い。よって、脚周りからの漏れは発生し難くなる。さらに、本発明の吸収性物品では、男性巻きや袋状吸収性物品のように男性器が強く拘束されず、違和感も生じ難い。
なお、ロール状部分は、側部が少なくとも１周は巻かれている（つまり筒状になっている）部分を意味する。
【００１１】
【００１２】
また、本発明の吸収性物品は、使用者が必要に応じて、ロール状部分の巻きを戻す又は進めることによりロール状部分の位置や直径を調節したり、巻きを緩める又は締めることによりロール状部分の直径、弾力性、変形容易性を調節したりすることが可能となり、多少の個人差があっても適切な装着状態を得ることができる。また、ロール状部分の巻きが緩む作用により、脚の付根の溝に発生する隙間を埋めるようにロール状部分が膨らんでフィットするとともに、脚等の体動に追従して変形・復元する性質が向上する。
【００１３】
＜請求項２記載の発明＞
幅方向中間に位置する基部と、基部の幅方向両側に位置する両側部とを備え、
両側部が巻かれた、基部よりも厚いロール状部分を有し、このロール状部分の巻き始めは側端部であり、前記側端部の表面は前記ロール状部分の内側に位置しており、
少なくとも前記ロール状部分はその外部露出面から尿を吸収可能であり、
前記両側部のロール状部分は互いの基部側の側面が接触又は近接しており、使用の際に少なくとも一方のロール状部分の巻きを戻すことにより、前記両側部のロール状部分の間に間隔を空けるように構成されている、
ことを特徴とする吸収性物品。
【００１４】
（作用効果）
本発明の吸収性物品は、鼠径部から股間までの両脚の付根の溝に、両側部のロール状部分を入り込ませるとともに、それらロール状部分の間に男性器を配置して男性器を基部で覆うようにして装着することができる。したがって、鼠径部から股間までの両脚の付根の溝に発生する隙間を、尿吸収可能なロール状部分により埋めることができ、脚周りに向かう尿をロール状部分により効果的に吸収することができる。しかも、ロール状部分は、蛇腹状のものとは異なり、弾力性及び形状維持性（形状の崩れにくさ）に富むため、脚の付根の溝にしっかりとフィットし、脚等の体動に追従して変形・復元することができるとともに、変形による崩れも発生し難い。よって、脚周りからの漏れは発生し難くなる。さらに、本発明の吸収性物品では、男性巻きや袋状吸収性物品のように男性器が強く拘束されず、違和感も生じ難い。
なお、ロール状部分は、側部が少なくとも１周は巻かれている（つまり筒状になっている）部分を意味する。
また、本発明の吸収性物品は、製品包装状態や使用前の携帯時・保管時には非常にコンパクトであるとともに、装着者の身体寸法に合わせて、ロール状部分の位置や直径、ロール状部分の相互間隔を調節することができるため好ましい。
【００１５】
＜請求項３記載の発明＞
前記両側部のロール状部分は、前記互いの基部側の側面が接触又は近接した状態で、それぞれ巻きが解除可能に固定されている、請求項２記載の吸収性物品。
【００１６】
（作用効果）
前述した、両側部のロール状部分における互いの基部側の側面が接触又は近接している形態では、その形状を維持するためにロール状部分の巻きを解除可能に固定しておくのが好ましい。
【００１７】
【００１８】
【００１９】
【００２０】
【００２１】
【００２２】
＜請求項４記載の発明＞
幅方向両側面に接する袋体により個包装されている、請求項１〜３のいずれか１項に記載の吸収性物品。
【００２３】
（作用効果）
本発明の吸収性物品は、形状が崩れるおそれがあるため、吸収性物品の幅方向両側面に接する袋体により個包装し、形状維持を図るのは好ましい。もちろん、個包装により衛生面でも好ましいものとなる。
【００２４】
＜請求項５記載の発明＞
前記基部及び両側部にわたる一体的な吸収体と、この吸収体の表裏両面を被覆する液透過性シートとを備えた、請求項１〜４のいずれか１項に記載の吸収性物品。
【００２５】
（作用効果）
このような形態であると、基部及び両側部の全体において表裏両面からの尿吸収が可能となり、また吸収した尿は吸収体全体に拡散可能となる。さらに、吸収体の剛性により、装着状態では、両側部のロール状部分が両脚の付根の溝に向かって付勢された状態となるため、脚の動きに追従して両側部のロール状部分が基部との境界を軸に揺動することができ、動的なフィット性に優れるとともに、男性器への側方からの圧迫も少ないものとなる。
【００２６】
＜請求項６記載の発明＞
幅方向中間に位置する基部と、基部の幅方向両側に位置する両側部とを備え、
両側部が巻かれた、基部よりも厚いロール状部分を有し、このロール状部分の巻き始めは側端部であり、前記側端部の表面は前記ロール状部分の内側に位置しており、
少なくとも前記ロール状部分はその外部露出面から尿を吸収可能である、
吸収性物品の装着構造であって、
男性器の両脇に前記ロール状部分が位置し、かつ男性器が前記基部で覆われている、
ことを特徴とする吸収性物品の装着構造。
【００２７】
（作用効果）
このような装着構造においては、鼠径部から股間までの両脚の付根の溝に発生する隙間を、尿吸収可能なロール状部分により埋めることができ、脚周りに向かう尿をロール状部分により効果的に吸収することができる。しかも、ロール状部分は、蛇腹状のものとは異なり、弾力性及び形状維持性（形状の崩れにくさ）に富むため、脚の付根の溝にしっかりとフィットし、脚等の体動に追従して変形・復元することができるとともに、変形による崩れも発生し難い。よって、脚周りからの漏れは発生し難くなる。さらに、このような装着構造では、男性巻きや袋状吸収性物品のように男性器が強く拘束されず、違和感も生じ難い。
【発明の効果】
【００２８】
以上のとおり、本発明によれば、男性が使用する際、装着時の違和感が少ないものでありながら、脚周りの漏れ防止性に優れる等の利点がもたらされる。
【図面の簡単な説明】
【００２９】
【図１】第１の形態の吸収性物品の展開状態の表面側を示す平面図である。
【図２】第１の形態の吸収性物品の展開状態の裏面側を示す平面図である。
【図３】図１のＸ−Ｘ断面図である。
【図４】第１の形態の吸収性物品の表面側を示す斜視図である。
【図５】第１の形態の吸収性物品の裏面側を示す斜視図である。
【図６】吸収性物品の配置状態を示す斜視図である。
【図７】吸収性物品の装着状態を概略的に示す正面図である。
【図８】吸収性物品の装着状態を概略的に示す横断面図である。
【図９】第２の形態の吸収性物品を示す斜視図である。
【図１０】第３の形態の吸収性物品を示す斜視図である。
【図１１】第３の形態の吸収性物品を示す斜視図である。
【図１２】各種の巻固定手段の概略図である。
【図１３】第２の形態の吸収性物品の個包装状態を示す斜視図である。
【図１４】第３の形態の吸収性物品の個包装状態を示す斜視図である。
【図１５】パッドタイプ吸収性物品の展開状態の表面側を示す平面図である。
【図１６】パッドタイプ吸収性物品の裏面側を示す平面図である。
【図１７】図１５のＹ−Ｙ断面図である。
【図１８】図１５のＺ−Ｚ断面図である。
【発明を実施するための形態】
【００３０】
以下、本発明の一実施形態について添付図面を参照しつつ詳説する。
（第１の形態）
第１の形態の吸収性物品１０は、図４及び図５に示すように、幅方向中間に位置する基部１１と、基部１１の幅方向両側に位置する両側部１２とを備え、両側部１２は、それぞれ側端部１２Ｅを巻き始めとして表面が内側となるように巻かれて形成された、基部１１よりも厚いロール状部分１３とされているものである。
【００３１】
この吸収性物品１０は、少なくともロール状部分１３がその外部露出面から尿を吸収可能なように構成されている限り、内部構造は特に限定されず、形状維持性に優れるものであれば吸収性素材単独で構成することもできるが、図１〜図３に示すように、基部１１及び両側部１２にわたる一体的な吸収体３と、吸収体３の表面を被覆する透液性トップシート２と、吸収体３の裏面を被覆する透液性バックシート１とを備えた構造が簡素であり好ましい。この場合、図４に示すように、基部１１の表面はトップシート２により形成され、このトップシート２を介して吸収体３への吸収がなされるのに対して、ロール状部分１３では外部露出面がバックシート１により形成され、バックシート１を介して吸収体３への吸収がなされる。なお、図中の点模様部分はホットメルト接着剤による接着部を示している。
【００３２】
トップシート２及びバックシート１としては、有孔または無孔の不織布や有孔プラスチックシートなどが用いられる。不織布を用いる場合、その繊維は特に限定されず、ポリエチレンまたはポリプロピレン等のオレフィン系、ポリエステル系、アミド系等の合成繊維の他、レーヨンやキュプラ等の再生繊維、綿等の天然繊維を用いることができ、また製法も特に限定されず、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。トップシート２及びバックシート１に多数の透孔を形成したプラスチックシートを用いると、尿などが速やかに吸収されるようになり、ドライタッチ性に優れたものとなる。
【００３３】
トップシート２及びバックシート１は、図示例では吸収体３の周囲からはみ出した部分を接合しているため吸収体３を有しないフラップ部４が形成されているが、いずれか一方のシートを吸収体３の周縁部を巻き込むように延在させることで周囲の一部又は全部にフラップ部４を有しない構造とすることもできる。
【００３４】
吸収体３としては、パルプ繊維の積繊体、セルロースアセテート等のフィラメントの集合体、あるいは不織布を基本とし、必要に応じて高吸収性ポリマーを混合、固着等してなるものを用いることができる。吸収体３は、形状及びポリマー保持等のため、必要に応じてクレープ紙等の、液透過性及び液保持性を有する包装シート（図示略）によって包装することができる。吸収体３の形状は、図示形態のように長方形状とする他、適宜の形状とすることができる。吸収体３における繊維目付け及び吸収性ポリマーの目付けは適宜定めることができるが、繊維目付けは２５０〜５００ｇ／ｍ2程度とするのが好ましく、また吸収性ポリマーの目付けは５０〜２５０ｇ／ｍ2程度とするのが好ましい。
【００３５】
図示例と異なり、基部１１の裏側にのみ公知の不透液性シートを配置したり、ロール状部分１３の外部露出面の一部のみ透液性としたり、基部１１内の吸収体３を省略したり、基部１１及び両側部１２に対して個別に吸収体３を設けたりする等、適宜の変更が可能である。
【００３６】
吸収性物品１０の寸法・形状は適宜定めることができるが、通常の場合、展開状態における幅Ｗは３５０〜４５０ｍｍ程度とするのが好ましく、展開状態における前後方向長さＬは１４０〜２１０ｍｍ程度とするのが好ましく、前後方向長さＬよりも幅Ｗの長い横長形状とするのが好ましい。基部１１の幅（展開状態）は、装着者の股間幅より狭く、６０〜９０ｍｍ程度とすることができる。両側部１２の幅（展開状態）は、ロール状部分１３の巻き長さ（巻かれている部分の幅方向長さ）に応じて決まるものであり、巻き数は１．５巻き程度（図４の状態）は確保するのが好ましいため、通常の場合、１４５〜１８０ｍｍ程度とするのが好ましい。
【００３７】
以上のように構成された吸収性物品１０は、図６〜図８に示すように、基本吸収性物品２０の内面と男性器Ｐとの間に配置し、装着者の鼠径部から股間までの両脚Ｔの付根の溝に、両側部１２のロール状部分１３を入り込ませるとともに、それらロール状部分１３の間に男性器Ｐを配置して男性器Ｐを基部１１で覆うようにして装着することができる。そしてこの装着状態では、鼠径部から股間までの両脚Ｔの付根の溝に発生する隙間を、尿吸収可能なロール状部分１３により埋めることができ、脚Ｔ周りに向かう尿をロール状部分１３により効果的に吸収することができる。しかも、ロール状部分１３は、弾力性及び形状維持性（形状の崩れにくさ）に富むため、脚Ｔの付根の溝にしっかりとフィットし、脚Ｔ等の体動に追従して変形・復元することができるとともに、変形による崩れも発生し難い。よって、脚Ｔ周りからの漏れは発生し難くなる。また、男性器Ｐが強く拘束されず、違和感も生じ難い。なお、図８中の符号Ｄは装着者の下腹部Ｄを示している。
【００３８】
特に、図示形態のように、ロール状部分１３の巻きが非固定とされていると、使用者が必要に応じて、ロール状部分１３の巻きを戻す又は進めることによりロール状部分１３の位置や直径を調節したり、巻きを緩める又は締めることによりロール状部分１３の直径、弾力性、変形容易性を調節したりすることが可能となり、多少の個人差があっても適切な装着状態を得ることができる。また、ロール状部分１３の巻きが非固定となっていると、巻きが緩む作用により、脚Ｔの付根の溝に発生する隙間を埋めるようにロール状部分１３が膨らんでフィットするようになるとともに、脚Ｔ等の体動に追従して変形・復元する性質も極めて高くなる。基本吸収性物品２０は立体ギャザー２４を備えた形態が一般的であるが、そのような場合には立体ギャザー２４の間に吸収性物品１０を配置すると、ロール状部分１３の巻きが緩んでも立体ギャザー２４により抑えられるため、ロール状部分１３の巻きが崩れにくくなる。
【００３９】
また、図示形態のように、基部１１及び両側部１２にわたる一体的な吸収体３と、この吸収体３の表裏両面を被覆する液透過性シートとを備えた構造であると、基部１１及び両側部１２の全体において表裏両面からの尿吸収が可能となり、また吸収した尿は吸収体３全体に拡散可能となる。さらに、吸収体３の剛性により、装着状態では、両側部１２のロール状部分１３が両脚Ｔの付根の溝に向かって付勢された状態となるため、脚Ｔの動きに追従して両側部１２のロール状部分１３が基部１１との境界を軸に揺動することができ、動的なフィット性に優れるとともに、男性器Ｐへの側方からの圧迫も少ないものとなる。
【００４０】
他方、基部１１は基本吸収性物品２０に対して非固定とすることもできるが、図示形態のように、基部１１の裏面に、粘着剤層や面ファスナー（メカニカルファスナー）のオス材（フックテープ）等からなるズレ止め部５を設け、基部１１の位置ズレを防止するのも好ましい形態である。なお、図示形態は粘着剤層によりズレ止め部５を形成した場合を想定しており、符号６は粘着剤層を覆う剥離シートである。使用時にはこの剥離シート６を剥がして、粘着剤層を露出させて基本吸収性物品２０の内面に粘着させる。
【００４１】
（第２の形態）
上記第１の形態では、両側部１２のロール状部分１３が離れているため、製品包装状態や使用前の携帯時・保管時において嵩張るだけでなく、型崩れし易い。そこで、図９に示すように、両側部１２のロール状部分１３は互いの基部１１側の側面が接触又は近接しており、使用の際に少なくとも一方のロール状部分１３の巻きを戻すことにより、両側部１２のロール状部分１３の間に間隔１３Ｄを空ける形態も提案される。このような形態であると、製品包装状態や使用前の携帯時・保管時には非常にコンパクトであるとともに、装着者の身体寸法に合わせて、ロール状部分１３の位置や直径、ロール状部分１３の相互間隔１３Ｄを調節することができる。
【００４２】
この第２の形態では、その形状を維持するためにロール状部分１３の巻きを解除可能に固定しておくのが好ましい。この固定は、例えば図１２（ａ）に示すように、ロール状部分１３の対向側面を粘着剤層や面ファスナーのオス材等の接合手段１５により剥離可能に接合したり、図１２（ｂ）に示すように、両方のロール状部分１３の上面間に跨るように粘着テープ１６を貼り付け、この粘着テープ１６を剥がして取り除くことにより固定を解除する構成としたり、図１２（ｃ）に示すように、両方のロール状部分１３を、紙や不織布、プラスチックフィルム等の可撓性素材からなる環状体１７（例えば輪ゴム。筒状でも良い。）内に通しておき、環状体１７を取り外すことにより固定を解除する構成としたりすることができる。
【００４３】
（第３の形態）
上記第１の形態では、両側部１２のロール状部分１３が離れているため、製品包装状態や使用前の携帯時・保管時において嵩張るだけでなく、型崩れし易い。また、上記第２の形態でもコンパクトさにおいて改善の余地がある。そこで、図１０に示すように、一方の側部の側端部１２Ｅを巻き始めとして表面が内側となるように他方の側部の側端部１２Ｅまで巻かれてなるロール形状の吸収性物品１０も提案する（第３の形態）。使用の際には、図１１に示すように、ロール形状から他方の側部１２を繰り出して巻き直すか又は全体を展開してから巻き直し、図４に示すように両側部１２のロール状部分１３を形成してから装着する。このような形態であると、製品包装状態や使用前の携帯時・保管時には非常にコンパクトであるとともに、形状が崩れにくい。そして、使用に際しては、装着者の身体寸法に合わせて、ロール状部分１３の位置や直径、ロール状部分１３の相互間隔１３Ｄを調節することも可能である。
【００４４】
この第３の形態においても、その形状を維持するためにロール形状での巻きを解除可能に固定しておくのが好ましい。この固定は、例えば図１２（ｄ）に示すように、ロール形状とした吸収性物品１０の巻きの終端部１０Ｅとその内側に対向する部分とを粘着剤層や面ファスナーのオス材等の接合手段１５により剥離可能に接合したり、図１２（ｅ）に示すように、ロール形状とした吸収性物品１０の巻きの終端部１０Ｅを粘着テープ１６で固定し、この粘着テープ１６を剥がして取り除くことにより固定を解除する構成としたり、図１２（ｆ）に示すように、ロール形状とした吸収性物品１０を、紙や不織布、プラスチックフィルム等の可撓性素材からなる環状体１７（例えば輪ゴム。筒状でも良い。）内に通しておき、環状体１７を取り外すことにより固定を解除する構成としたりすることができる。
【００４５】
（第４の形態）
図１３及び図１４に示すように、吸収性物品１０を袋体１８により個包装（個別に包装）するのも好ましい形態である。図１３は第２の形態の吸収性物品１０の包装例を示しており、図１４は第３の形態の吸収性物品１０の包装例を示している。特に、図示形態の袋体１８のように、吸収性物品１０の幅方向両側面に接する程度に密着させて個包装すると、吸収性物品１０の形状維持を図ることができ、前述した巻きの固定を省略し、巻きを非固定とすることができる（換言すれば袋体１８が巻きの解除可能な固定手段となる）。もちろん、個包装により衛生面でも好ましいものとなる。
【００４６】
袋体１８は、紙や不織布、プラスチックフィルム等の可撓性シートを筒状に形成し、その両端の開口部をヒートシール等の加熱シールによりシールする形態が好適であり、生理用ナプキンの個包装で汎用されている形態や、おしぼりで汎用されている形態等を採用することができる。
【００４７】
＜その他＞
本発明の装着構造を得るには、予め図４に示すようなロール状部分が形成されているものを装着する方が、作業数が少なく、形状に癖が付いているため作業が容易であるが、平坦に形成された製品（図１及び図２に示す状態と同様の外観となる）を、使用者が、使用に際して両側部を巻き、ロール状部分を形成した後に装着することもできる。
【００４８】
＜基本吸収性物品の例＞
【００４９】
本発明に係る吸収性物品は、パッドタイプ、テープタイプ、パンツタイプ等、基本吸収性物品の形態に関係なく補助的に使用することができる。以下、パッドタイプ吸収性物品の例を引いて基本吸収性物品の形態について説明する。
【００５０】
図１５〜図１８はパッドタイプ吸収性物品の一例２０を示している。このパッドタイプ吸収性物品２０は、股間部Ｃ２と、その前後両側に延在する腹側部分Ｆ２及び背側部分Ｂ２とを有しており、液不透過性のバックシート２１の内面と、透液性トップシート２２との間に、吸収体２３が介在された基本構造を有するものである。
【００５１】
パッドタイプ吸収性物品２０の各部の寸法は適宜定めることができ、例えば、物品全長（前後方向長さ）Ｌ１は３５０〜７００ｍｍ程度、全幅Ｗ１は１３０〜４００ｍｍ程度（ただし、おむつの吸収面の幅より狭い）とすることができ、この場合における股間部Ｃ２の前後方向長さは１０〜１５０ｍｍ程度、腹側部分Ｆ２の前後方向長さは５０〜３５０ｍｍ程度、及び背側部分Ｂ２の前後方向長さは５０〜３５０ｍｍ程度とすることができる。
【００５２】
吸収体２３としては、パルプ繊維の積繊体、セルロースアセテート等のフィラメントの集合体、あるいは不織布を基本とし、必要に応じて高吸収性ポリマーを混合、固着等してなるものを用いることができる。必要に応じて、吸収体２３はクレープ紙（図示せず）により包むことができる。また、吸収体２３の形状は適宜定めることができ、図示例では太もも内側に対するフィット性を高めるために、股間部Ｃ２を含む前後方向中間領域が脚周りに沿う括れた形状となっているが、長方形状等とすることもできる。
【００５３】
吸収体２３における繊維目付け及び吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。
【００５４】
吸収体２３の裏面側には、バックシート２１が吸収体３の周縁より所定長さ食み出すように設けられている。バックシート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。このような透湿性シートにおいても臭気の透過は抑制される。パッドタイプ吸収性物品の裏面を布のような肌触りとするために、バックシート２１の外面に不織布等の外装シート２１Ｃを張り合わせたり、バックシート２１として外面に不織布をラミネートしたラミネートシートを用いたりすることができる。これらの不織布の原料繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００５５】
吸収体２３の表面側は、透液性トップシート２２により覆われている。図示形態ではトップシート２２の側縁から吸収体２３が一部食み出しているが、吸収体２３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００５６】
パッドタイプ吸収性物品２０の前後方向両端部では、透液性トップシート２２が吸収体２３の前後端よりも前後両側にそれぞれ延在されて貼り合わされ、吸収体２３の存在しないエンドフラップ部ＥＦが形成されている。
【００５７】
パッドタイプ吸収性物品２０の両側部では、バックシート２１が吸収体２３の側縁よりも外側にそれぞれ延在されるとともに、この延在部からトップシート２２の側部までの部分の表面に対して、立体ギャザー２４をなすギャザーシート２４ｓの幅方向外側の部分２４ｘが前後方向全体にわたり貼り付けられ、これにより吸収体２３の存在しないサイドフラップ部ＳＦが構成されている。これら貼り合わせ部分は、図１７及び図１８では点模様で示されており、ホットメルト接着剤、ヒートシール、超音波シールにより形成できる。
【００５８】
エンドフラップ部ＥＦ及びサイドフラップ部ＳＦ以外の吸収体介在部分が、排泄物の主吸収領域である本体部ＢＤを構成する。エンドフラップ部ＥＦ及びサイドフラップ部ＳＦの寸法は適宜定めることができるが、エンドフラップ部ＥＦ及びサイドフラップ部ＳＦにおいてバックシート２１と透液性トップシート２２およびギャザーシート２４ｓとが確実に貼り合わせられるため、少なくとも一部が本体部との境界から１０ｍｍ以上食み出しているのが好ましい。
【００５９】
図示形態では、サイドフラップ部ＳＦの側縁は、吸収体の側縁に合わせて前後方向中間が脚周りに沿うように括れているが、括れの無い長方形状であってもよい。また、このような脚周りに沿う括れ部分を設ける場合、括れ部分の位置を前後方向中央より一方側に偏倚させ、当該一方側の部分における前後長を短くし、他方側の部分における前後長を長くし、当該一方側の部分を前、当該他方側の部分を後とすること（順方向装着）が一般的となっている。これは、臀部までを広くカバーする通常の装着状態や女性装着者を想定した場合、括れ部分の前後方向両側のうち前後長が長い方を装着状態における後とするのが望ましいからであり、図示形態における腹側部分Ｆ２及び背側部分Ｂ２はこれに応じたものである。しかし、装着の向きはユーザーが自由に変更できるものであり、例えば、男性における排尿の吸収性を高める場合等は、括れ部分の前後方向両側のうち前後長が長い方を装着状態における前とする、つまり背側部分Ｂ２が腹側に位置するように装着すること（逆方向装着）も行われている。
【００６０】
ギャザーシート２４ｓの素材としては、プラスチックシートやメルトブローン不織布を使用することもできるが、肌への感触性の点で、不織布にシリコーンなどの撥水剤により撥水処理をしたものが好適に使用される。
【００６１】
ギャザーシート２４ｓの幅方向中央側の部分２４ｃはトップシート２２上にまで延在しており、その幅方向中央側の端部には、細長状弾性部材２４ｇが前後方向に沿って伸張状態でホットメルト接着剤等により固定されている。この細長状弾性部材２４ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコーン、ポリエステル等、通常使用される素材を用いることができる。
【００６２】
また、両ギャザーシート２４ｓ，２４は、幅方向外側の部分２４ｘが前後方向全体にわたり物品内面（図示形態ではトップシート２２表面およびバックシート２１表面）に貼り合わされて固定されるとともに、幅方向中央側の部分２４ｃが、前後方向の両端部では物品内面（図示形態ではトップシート２２表面）に貼り合わされて固定され、かつ前後方向の両端部の間では物品内面（図示形態ではトップシート２２表面）に固定されていない。この非固定部分は、図１８に示されるように、物品内面（図示形態ではトップシート２２表面）に対して起立可能なバリヤー部となる部分であり、その起立基端２４ｂはギャザーシート２４ｓにおける幅方向外側の固定部分２４ｘと内側の部分２４ｃとの境に位置する。
【産業上の利用可能性】
【００６３】
本発明は、パッドタイプ、テープタイプ、パンツタイプ等の基本吸収性物品に併用して使用される補助吸収性物品に好適なものであるが、バックシートとして液不透過性シートを用いることにより単体の吸収性物品として利用することも可能である。
【符号の説明】
【００６４】
１…バックシート、２…トップシート、３…吸収体、４…フラップ部、５…ズレ止め部、６…剥離シート、１０…吸収性物品、１０Ｅ…終端部、１１…基部、１２…両側部、１２Ｅ…側端部、１３…ロール状部分、１３Ｄ…間隔、１５…接合手段、１６…粘着テープ、１７…環状体、１８…袋体、２０…基本吸収性物品、Ｄ…下腹部、Ｐ…男性器、Ｔ…脚。
【図１】
0005931372.tif 000002
【図２】
0005931372.tif 000003
【図３】
0005931372.tif 000004
【図４】
0005931372.tif 000005
【図５】
0005931372.tif 000006
【図６】
0005931372.tif 000007
【図７】
0005931372.tif 000008
【図８】
0005931372.tif 000009
【図９】
0005931372.tif 000010
【図１０】
0005931372.tif 000011
【図１１】
0005931372.tif 000012
【図１２】
0005931372.tif 000013
【図１３】
0005931372.tif 000014
【図１４】
0005931372.tif 000015
【図１５】
0005931372.tif 000016
【図１６】
0005931372.tif 000017
【図１７】
0005931372.tif 000018
【図１８】
0005931372.tif 000019